(57)【特許請求の範囲】
【請求項１】
撮像レンズを介して受光した被写体像を所定のレートで画像信号に変換する撮像手段と、
前記画像信号の輝度情報から全ての被写体像の輪郭画像を抽出する輪郭抽出手段と、
前記画像信号の色差情報と前記輪郭画像とを所定の比率で合成する合成手段と、
前記合成手段により合成された合成画像を前記所定のレートで更新してスルー画像として表示する表示手段と、
本撮影を指示する撮影指示手段と、
前記撮影指示手段により本撮影が指示されると、前記指示に応じて行われた本撮影で取得した画像信号に基づく撮影画像であって、合成画像以外の通常の撮影画像を記録する記録手段と、
構図アシスト機能をＯＮ／ＯＦＦさせる手段と、
を備え、
前記表示手段は、構図アシスト機能がＯＦＦされると前記画像信号に基づいたスルー画像を表示し、構図アシスト機能がＯＮされると、前記合成画像をスルー画像として表示することを特徴とする撮像装置。
【請求項２】
前記輪郭抽出手段は、
前記画像信号の輝度情報から全ての被写体像の輪郭が高輝度となる輪郭画像を作成する手段と、
前記作成した輪郭画像の輝度を反転する手段と、
前記輝度を反転した輪郭画像を強調するために階調を補正する手段と、
を備えたことを特徴とする請求項１に記載の撮像装置。
【請求項３】
前記所定の比率を設定するための入力手段を備えたことを特徴とする請求項１又は２に記載の撮像装置。
【請求項４】
撮像レンズを介して受光した被写体像を所定のレートで画像信号に変換する撮像工程と、
前記画像信号の輝度情報から全ての被写体像の輪郭画像を抽出する輪郭抽出工程と、
前記画像信号の色差情報と前記輪郭画像とを所定の比率で合成する合成工程と、
前記合成工程により合成された合成画像を前記所定のレートで更新してスルー画像として表示する表示工程と、
撮影指示手段により本撮影が指示されると、前記指示に応じて行われた本撮影で取得した画像信号に基づく撮影画像であって、合成画像以外の通常の撮影画像を記録手段に記録する記録工程と、
を備え、
前記表示工程は、構図アシスト機能をＯＮ／ＯＦＦさせる手段により構図アシスト機能がＯＦＦされると前記画像信号に基づいたスルー画像を表示し、構図アシスト機能がＯＮされると、前記合成画像をスルー画像として表示することを特徴とする撮像方法。
【発明の詳細な説明】
【技術分野】
【０００１】
本発明は撮像装置、画像処理装置、撮像方法、及び画像処理方法に係り、特に画像の輪郭情報を利用して撮影時のアシストを行う撮像装置、画像処理装置、撮像方法、及び画像処理方法に関する。
【背景技術】
【０００２】
従来より、カメラのモニタ上の表示により、撮影をアシストする技術が知られている。
【０００３】
例えば特許文献１には、輪郭表示スイッチがオンされると、白黒画像から輪郭画像が抽出され、輪郭画像が白黒用液晶表示装置に表示されるデジタルカメラについて記載されている。特許文献１に記載のデジタルカメラによれば、屋外撮影、室内撮影など表示装置の表示画面上に表示される被写体像が見にくい場合でも、輪郭表示スイッチをオンすることにより、被写体のモノクロの輪郭画像が表示され、被写体像より見やすい輪郭画像を用いて適切なフレーミングを行うことができる。
【０００４】
また特許文献２には、前回の定点撮影時の撮影画像を構図画像として今回の定点撮影のスルー画像と重畳表示する電子カメラが記載されている。特許文献２に記載の電子カメラによれば、従来のように手間をかけることなく、前回と同じ構図の撮影が可能となる。
【特許文献１】特開２００４−１７９７０８号公報
【特許文献２】特開２００２−９４８５４号公報
【発明の開示】
【発明が解決しようとする課題】
【０００５】
しかしながら、特許文献１に記載のデジタルカメラは、通常のスルー画を表示するカラーＬＣＤと輪郭画像を表示する白黒ＬＣＤとが異なるＬＣＤであり、２つのＬＣＤを持つために装置が大型化する等の欠点があった。また特許文献２に記載の電子カメラは、２つの画像を半透明にして同時に表示しているためスルー画の表示がわかりにくく、構図の一致、不一致を判別するのに適していないという欠点があった。本発明はこのような事情に鑑みてなされたもので、画像の輪郭情報を利用して、撮影時の構図のアシストや定点観測撮影のアシストを行うことにより、所望の画像を得ることができる撮像装置、画像処理装置、撮像方法、及び画像処理方法を提供することを目的とする。
【課題を解決するための手段】
【０００６】
前記目的を達成するために請求項１に記載の撮像装置は、撮像レンズを介して受光した被写体像を所定のレートで画像信号に変換する撮像手段と、前記画像信号の輝度情報から全ての被写体像の輪郭画像を抽出する輪郭抽出手段と、前記画像信号の色差情報と前記輪郭画像とを所定の比率で合成する合成手段と、前記合成手段により合成された合成画像を前記所定のレートで更新してスルー画像として表示する表示手段と、本撮影を指示する撮影指示手段と、前記撮影指示手段により本撮影が指示されると、前記指示に応じて行われた本撮影で取得した画像信号に基づく撮影画像であって、合成画像以外の通常の撮影画像を記録する記録手段と、構図アシスト機能をＯＮ／ＯＦＦさせる手段とを備え、前記表示手段は、構図アシスト機能がＯＦＦされると前記画像信号に基づいたスルー画像を表示し、構図アシスト機能がＯＮされると、前記合成画像をスルー画像として表示することを特徴とする。
【０００７】
これにより、構図を意識して、より上手な撮影を行うことができる。
【０００９】
これにより、必要なときだけ構図アシストを行うことができる。
【００２２】
請求項２に示すように請求項１に記載の撮像装置において、前記輪郭抽出手段は、前記画像信号の輝度情報から全ての被写体像の輪郭が高輝度となる輪郭画像を作成する手段と、前記作成した輪郭画像の輝度を反転する手段と、前記輝度を反転した輪郭画像を強調するために階調を補正する手段とを備えたことを特徴とする。
【００２３】
これにより、輪郭をわかりやすく表示することができる。
【００２８】
請求項３に示すように請求項１又は２に記載の撮像装置において、前記所定の比率を設定するための入力手段を備えたことを特徴とする。
【００２９】
これにより、見やすいスルー画像を得ることができる。
【００３８】
前記目的を達成するために請求項４に記載の撮像方法は、撮像レンズを介して受光した被写体像を所定のレートで画像信号に変換する撮像工程と、前記画像信号の輝度情報から全ての被写体像の輪郭画像を抽出する輪郭抽出工程と、前記画像信号の色差情報と前記輪郭画像とを所定の比率で合成する合成工程と、前記合成工程により合成された合成画像を前記所定のレートで更新してスルー画像として表示する表示工程と、撮影指示手段により本撮影が指示されると、前記指示に応じて行われた本撮影で取得した画像信号に基づく撮影画像であって、合成画像以外の通常の撮影画像を記録手段に記録する記録工程とを備え、前記表示工程は、構図アシスト機能をＯＮ／ＯＦＦさせる手段により構図アシスト機能がＯＦＦされると前記画像信号に基づいたスルー画像を表示し、構図アシスト機能がＯＮされると、前記合成画像をスルー画像として表示することを特徴とする。
【００３９】
これにより、構図を意識して、より上手な撮影を行うことができる。また、必要なときだけ構図アシストを行うことができる。
【発明の効果】
【００４８】
本発明によれば、画像の輪郭情報を利用して、撮影時の構図のアシストや定点観測撮影のアシストを行うことにより、所望の画像を得ることができる撮像装置、画像処理装置、撮像方法、及び画像処理方法を提供することができる。
【発明を実施するための最良の形態】
【００４９】
以下、添付図面に従って本発明を実施するための最良の形態について説明する。
【００５０】
＜第１の実施の形態＞
図１は、本発明が適用されたデジタルカメラの第１の実施の形態の電気的構成を示すブロック図である。デジタルカメラ１は、ＣＰＵ１１、操作部１２、ＲＯＭ１３、ＲＡＭ１４、表示制御部１５、画像表示部１６、バッファメモリ１７、バス１８、画像記録部１９、メモリカード２０、画像信号処理部２１、撮像制御部２２、ＣＣＤ２３、撮像光学系２４、絞り／フォーカス／ズーム制御部２５、輪郭検出部２６、輪郭情報処理部２７、及び輪郭情報合成部２８から構成されている。
【００５１】
ＣＰＵ１１は、操作部１２からの入力の処理、画像信号処理部２１における信号処理、画像表示部１６への表示出力、メモリカード２０へのデータ記録等の、ＲＯＭ１３に格納された制御プログラムをＲＡＭ１４に読み出し、逐次実行する。
【００５２】
撮影スタンバイ状態では、ＣＰＵ１１は、画像表示部１６に動画（スルー画）を表示させる。ユーザ（撮影者）は、画像表示部１６に表示されるスルー画を見ながらフレーミングしたり、撮影したい被写体を確認したり、撮影後の画像を確認したり、撮影条件を設定したりする。本発明においては、輪郭検出部２６、輪郭情報処理部２７、及び輪郭情報合成部２８により構図アシストを行うスルー画を表示するが、詳細は後述する。
【００５３】
上記撮影スタンバイ状態時に操作部１２のレリーズスイッチが押されると、ＣＰＵ１１は絞り／フォーカス／ズーム制御部２５により露出、フォーカス、ズーム制御を行い、ＣＣＤ２３の受光面上に被写体像を結像させる。ＣＣＤ２３は、受光面に結像された被写体像に対し、その光量に応じた電荷を蓄積し、増幅して電圧信号に変換する。
【００５４】
このＣＣＤ２３は、撮像制御部２２から供給される垂直転送クロック及び水平転送クロックに同期して、各画素に蓄積された電荷を１ラインずつシリアルな画像信号として出力する。ＣＰＵ１１は、撮像制御部２２を制御して、ＣＣＤ２３の駆動を制御する。
【００５５】
なお、各画素の電荷蓄積時間（露出時間）は、撮像制御部２２から与えられる電子シャッタ駆動信号によって決められる。ＣＰＵ１１は、撮像制御部２２に対して電荷蓄積時間を指示する。
【００５６】
ＣＣＤ２３から出力された電圧信号は、画像信号処理部２１で相関二重サンプリングや増幅等のアナログ処理が施された後Ａ／Ｄ変換され、画素ごとのデジタルのＲ、Ｇ、Ｂ信号に変換される。さらに、光源種に応じたデジタルゲインをかけることでホワイトバランス調整を行うとともに、ガンマ（階調特性）処理及びシャープネス処理を行ってＲ、Ｇ、Ｂ信号を生成し、更にＹＣ信号処理して輝度信号Ｙとクロマ信号Ｃｒ、Ｃｂ（ＹＣ信号）を生成し、そのＹＣ信号をバッファメモリ１７に格納する。
【００５７】
上記のようにしてバッファメモリ１７に格納されたＹＣ信号は、所定のフォーマットに圧縮されたのち、画像記録部１９を介してデジタルカメラ１に着脱自在なメモリカード２０に記録される。
【００５８】
また、操作部１２を操作して再生モードが選択されると、メモリカード２０に記録されている最終コマの画像ファイルが画像記録部１９を介して読み出される。この読み出された画像ファイルの圧縮データは、画像信号処理部２１により非圧縮のＹＣ信号に伸張される。伸張されたＹＣ信号は、表示制御部１５によって画像表示部１６に出力される。これにより、画像表示部１６にはメモリカード２０に記録されている最終コマの画像が表示される。
【００５９】
その後、操作部１２の順コマ送りスイッチが押されると順方向にコマ送りされ、逆コマ送りスイッチが押されると逆方向にコマ送りされる。そして、コマ送りされたコマ位置の画像ファイルがメモリカード２０から読み出され、上記と同様にして画像が画像表示部１６に再生される。
【００６０】
次に、本実施の形態のデジタルカメラ１の、構図アシストについて説明する。図２は、構図アシストの機能図であり、図３は、構図アシストの動作を示したフローチャートである。
【００６１】
最初に、ユーザが操作部１２の構図アシストボタンを押すことにより、デジタルカメラ１を構図アシストモードに設定する（ステップＳ３１）。構図アシストモードに設定されると、撮影スタンバイ状態において、ＣＣＤ２３から出力される画像信号の輝度情報から、輪郭検出部２６が画像内の輪郭情報を検出する（ステップＳ３２）。輪郭検出は、一次微分のソーベルフィルタを用いる。図４（ａ）及び図４（ｂ）は、水平方向のソーベルフィルタのフィルタ行列の例を示す図であり、図４（ｃ）及び図４（ｄ）は、垂直方向のソーベルフィルタのフィルタ行列の例を示す図である。
【００６２】
なお輪郭については、ＲＧＢ単色の輪郭をそれぞれ検出してから合成してもよい。また、輪郭を検出する方法はソーベルフィルタに限られるものではなく、一次微分のプレウィットフィルタを用いてもよいし、二次微分のラプラシアンフィルタを使用してもよい。
【００６３】
次に、輪郭情報処理部２７は、輪郭検出部２６が検出した輪郭情報の輝度を反転し（ステップＳ３３）、さらに階調補正を行って輪郭を強調し、輪郭画像を生成する（ステップＳ３４）。階調を補正するには、計算式を用いてもよいし、ルックアップテーブルを用いてもよい。このように、ソーベルフィルタを用いて検出された輝度の高い輪郭情報を黒く見やすく表示するために、輪郭情報に反転処理を施す。また、階調補正を行い、輪郭画像を生成する。図５は、ＣＣＤ２３から出力される画像を示した図であり、図６は、図５の画像信号に対して輪郭情報処理部２７が出力した輪郭画像を示した図である。
【００６４】
次に、輪郭情報合成部２８は、輪郭情報処理部２７が出力した輪郭画像と、ＣＣＤ２３の出力する画像信号（輪郭情報処理部２７が出力した信号の元信号）の色差情報を所定の比率で合成する（ステップＳ３５）。即ち、色差情報の比率をα、輪郭画像の比率をβとすると、（数１）のように合成処理を行う。
【００６５】
（数１）
合成画像＝α×色差情報＋β×輪郭画像  （ただし、α＋β＝１）
図７は、ＣＣＤ２３から出力された画像信号の色差情報を示した図であり、図８は、図６に示した輪郭情報処理部２７が出力した輪郭情報と、図７に示した色差情報を合成した合成画像を示す図である。この合成比率は、あらかじめＲＯＭ１３に記憶されていてもよいし、操作部１２によりユーザが自由に設定できてもよい。
【００６６】
そして、輪郭情報合成部２８が合成した合成画像を、表示制御部１５により画像表示部１６にスルー画として表示する（ステップＳ３６）。上記の合成比率によっては輪郭情報のみにすることも可能であるが、撮影シーンの状況がつかみにくいこともあるため、下の画像の色差情報も重ね表示可能にしている。
【００６７】
再度、操作部１２の構図アシストボタンが押されたか否かを判定する（ステップＳ３７）。押されていない場合は、ステップＳ３２に戻り、同様の処理を繰り返す。ユーザは、このスルー画を見ながら構図を決定し、操作部１２のレリーズスイッチを押すことにより、本撮影を行うことができる。
【００６８】
構図アシストボタンが押された場合は、構図アシストモードを終了する。なお、この構図アシストモードは、構図アシストボタンが再度押されない場合であっても、本撮影を行った後や、一定時間が経過した場合に解除するように構成してもよい。
【００６９】
このように、スルー画に合成して輪郭情報を表示することで、撮影者が構図を意識してより上手な撮影を行うことができる。また、輪郭情報だけでなく、色差情報を合成して表示することで、撮影シーンの状況をつかみやすくすることが可能となる。
【００７０】
また、ＲＧＢ単色の輪郭をそれぞれ検出してから合成することにより輪郭検出を行う場合は、撮影シーンに存在する原色の被写体に対して、適切に輪郭を検出して構図を意識させるための表示を行うことができる。
【００７１】
＜第２の実施の形態＞
第２の実施の形態のデジタルカメラ１について説明する。第２の実施の形態のデジタルカメラ１は、定点観測アシストを行う。
【００７２】
図９は、デジタルカメラ１の内部構成を示すブロック図である。図１に示すブロック図とは、輪郭情報記憶部２９を備えたところが異なる。
【００７３】
図１０は、定点観測アシストの機能図であり、図１１は、デジタルカメラ１の定点観測アシストの準備段階の動作を示すフローチャートである。なお、図３に示すフローチャートと共通する部分には同一の符号を付し、その詳細な説明は省略する。
【００７４】
まず、撮影済み画像の選択を行う（ステップＳ１１１）。前述した再生モードと同様に、操作部１２を操作して輪郭記憶モードを選択することにより、メモリカード２０に記録されている画像を読み出し、画像表示部１６に表示することが可能である。ユーザは、メモリカード２０に記録されている画像から、操作部１２を用いて定点観測アシストモードで使用したい画像、即ち定点撮影を行いたい構図の画像を選択する。
【００７５】
ユーザが画像を選択すると、輪郭検出部２６は選択した画像の輪郭を検出し（ステップＳ３２）、輪郭情報処理部２７は検出した輪郭情報の輝度を反転し（ステップＳ３３）、さらに階調を補正して強調し、輪郭画像を生成する（ステップＳ３４）。このように生成された輪郭画像を、輪郭情報記憶部２９に記憶する（ステップＳ１１２）。
【００７６】
このように、第２の実施の形態のデジタルカメラ１では、定点観測アシストに用いる輪郭画像をあらかじめ輪郭情報記憶部２９が記憶しておく。
【００７７】
次に、定点観測アシストモードの動作について説明する。図１２は、デジタルカメラ１の定点観測アシストモードの動作を示すフローチャートである。なお、図３に示すフローチャートと共通する部分には同一の符号を付し、その詳細な説明は省略する。
【００７８】
まず、ユーザが操作部１２を用いて、デジタルカメラ１を定点観測アシストモードに設定する（ステップＳ１２１）。定点観測アシストモードに設定されると、図９に示した輪郭記憶モードで輪郭情報記憶部２９に記憶した輪郭画像を読み出す（ステップＳ１２２）。なお、複数の輪郭画像が記憶されている場合は、ユーザは操作部１２を用いて所望の輪郭画像を選択する。また、輪郭記憶モードであらかじめ輪郭画像を記憶しておくのではなく、この時点で画像を選択し、輪郭画像を生成して記憶してもよい。
【００７９】
次に、輪郭検出部２６はＣＣＤ２３から出力される画像信号の輪郭を検出し（ステップＳ３２）、輪郭情報処理部２７は検出した輪郭情報の輝度を反転し（ステップＳ３３）、さらに階調を補正して強調し、輪郭画像を生成する（ステップＳ３４）。輪郭情報合成部２８は、このように抽出された輪郭画像と、読み出した輪郭画像を所定の比率で合成する（ステップＳ１２３）。この合成比率は、あらかじめＲＯＭ１３に記憶されていてもよいし、操作部１２によりユーザが自由に設定できてもよい。
【００８０】
この輪郭情報合成部２８が合成した合成画像を、表示制御部１５を介して画像表示部１６にスルー画として表示する（ステップＳ３６）。
【００８１】
次に、定点観測アシストモードが解除されたか否かの判定を行う（ステップＳ１２４）。解除されていない場合は、ステップＳ１２２に戻り、同様の処理を繰り返す。解除された場合は、定点観測アシストの処理を終了する。
【００８２】
図１３は、定点観測アシストモードにおける画像表示部１６の表示を示す図である。図１３（ａ）は、輪郭情報記憶部２９から読み出した輪郭画像とスルー画から抽出した輪郭画像が不一致の場合を示した図である。ユーザは、表示されたそれぞれの輪郭画像の合成画像を見ながら、スルー画から抽出した輪郭画像が輪郭情報記憶部２９から読み出した輪郭画像と一致するようにデジタルカメラ１をパン操作、チルト操作、及びズーム操作を行う。図１３（ｂ）は、それぞれの輪郭画像が一致した場合を示した図である。そして、輪郭画像が一致したことを確認して、操作部１２のレリーズスイッチを押して本撮影を行うことにより、定点撮影して同一の構図の画像を得ることができる。
【００８３】
なお、この定点観測アシストモードは、操作部１２を操作した場合や、一定時間が経過した場合に解除するように構成されている。また、本撮影が終了した後に解除してもよい。
【００８４】
図１４は、本発明の定点観測アシストモードを使用して定点撮影を行い、四季の移り変わりを定点観測した画像を示す図である。また図１５は、本発明の定点観測アシストモードを使用して定点撮影を行い、植物の成長を定点観測した画像を示す図である。また図１６は、本発明の定点観測アシストモードを使用して、道路と線路の類似構図の撮影を行った画像を示す図である。
【００８５】
このように構成することで、定点観測写真や類似構図写真を容易に撮影することができる。また、建造物保守作業時において、同一構図撮影を用意にすることができる。また、撮影を依頼するときに、構図の意図を明確に伝えることができる。
【００８６】
なお、本実施の形態では、輪郭情報合成部２８は、ＣＣＤ２３から出力される画像信号の輪郭画像と、輪郭情報記憶部２９から読み出した輪郭画像を所定の比率で合成したが、それぞれの輪郭画像の色を異ならせて合成してもよい。また、一致している部分をさらに異なる色にしてもよい。このように構成することで、それぞれの輪郭が一致したか否かが見やすくなる。
【００８７】
これらの輪郭画像と同時に、さらにＣＣＤ２３から出力される画像信号から抽出した色差情報を合成してもよい。どの情報を読み出した輪郭情報と合成するか、ユーザが指定できるように構成してもよい。
【００８８】
＜第３の実施の形態＞
第３の実施の形態のデジタルカメラ１について説明する。第３の実施の形態のデジタルカメラ１は、輪郭画像と共に定点観測アシストの指標の表示を行って定点観測アシストを行う。
【００８９】
第３の実施の形態のデジタルカメラ１の内部構成は、図９に示す第２の実施の形態の内部構成と同様である。また定点観測の機能図も図１０に示す第２の実施の形態と同様である。図２４は、デジタルカメラ１の定点観測アシストモードの動作を示すフローチャートである。なお、図１２に示すフローチャートと共通する部分には同一の符号を付し、その詳細な説明は省略する。
【００９０】
まず、デジタルカメラ１を定点観測アシストモードに設定する（ステップＳ１２１）。定点観測アシストモードに設定されると、第２の実施の形態と同様に、最初に輪郭情報記憶部２９に記憶した輪郭画像を読み出す（ステップＳ１２２）。次に、輪郭検出部２６はＣＣＤ２３から出力される画像信号の輪郭を検出し（ステップＳ３２）、輪郭情報処理部２７は検出した輪郭情報の輝度を反転し（ステップＳ３３）、さらに階調を補正して強調し、輪郭画像を生成する（ステップＳ３４）。
【００９１】
次に、輪郭情報合成部２８は、上記のように抽出された輪郭画像と、読み出した輪郭画像のズレ方向及びズレの量を算出する（ステップＳ２４１）。このズレ方向及びズレ量の算出は、読み出した輪郭画像内の所定の位置に存在する被写体を、ＣＣＤ２３の画像信号から抽出された輪郭画像から検出し、この被写体のズレ方向及びズレ量を算出することにより行う。本実施の形態では、画像内の５つの位置において、それぞれの位置におけるズレ方向及びズレ量の算出を行う。なお、ズレ方向及びズレ量の算出は、２つの輪郭画像の相関演算を行うことにより算出してもよい。
【００９２】
さらに輪郭情報合成部２８は、算出した５つの位置におけるズレ方向及びズレ量から生成した定点観測アシスト指標を、算出を行った位置に所定の比率で合成する（ステップＳ１２３）。この合成比率は、あらかじめＲＯＭ１３に記憶されていてもよいし、操作部１２によりユーザが自由に設定できてもよい。
【００９３】
この輪郭情報合成部２８が合成した合成画像を、表示制御部１５を介して画像表示部１６にスルー画として表示する（ステップＳ３６）。
【００９４】
次に、定点観測アシストモードが解除されたか否かの判定を行う（ステップＳ１２４）。解除されていない場合は、ステップＳ１２２に戻り、同様の処理を繰り返す。解除された場合は、定点観測アシストの処理を終了する。
【００９５】
図２５は、本実施の形態の定点観測アシストモードにおける画像表示部１６の表示を示す図である。４１ａ〜４１ｅは定点観測アシスト指標であり、５つの位置において算出したズレ方向及びズレ量に対応した矢印をその位置に表示している。ユーザは、２つの輪郭画像と共にこの定点観測アシスト指標である矢印を見ながら、２つの輪郭画像が一致するようにデジタルカメラ１をパン操作、チルト操作、及びズーム操作を行う。図２６は、それぞれの輪郭画像が一致した場合を示した図である。定点観測アシスト指標は、その位置におけるズレ量が無くなった場合は、丸印の表示になる。図２６では、４２ａ〜４２ｅの５つの位置全てに丸印が表示されており、画像が一致したことを示している。ユーザは、この丸印の表示を確認して、操作部１２のレリーズスイッチを押して本撮影を行うことにより、定点撮影して同一の構図の画像を得ることができる。
【００９６】
なお、この定点観測アシストモードは、操作部１２を操作した場合や、一定時間が経過した場合に解除するように構成されている。また、本撮影が終了した後に解除してもよい。
【００９７】
定点観測アシスト指標である矢印、丸印は、それぞれ異なる色で表示すると、ユーザが認識しやすくなる。また定点観測アシスト指標は、５点に限られるものではなく、何点でもよい。
【００９８】
これらの輪郭画像と同時に、さらにＣＣＤ２３から出力される画像信号から抽出した色差情報を合成してもよい。どの情報を読み出した輪郭情報と合成するか、ユーザが指定できるように構成してもよい。
【００９９】
＜第４の実施の形態＞
第４の実施の形態のデジタルカメラ１について説明する。第４の実施の形態のデジタルカメラ１は、第２の実施の形態と同様に定点観測アシストを行うが、事前に記憶した輪郭画像と現在の撮影シーンの輪郭画像の相関値が所定値以上になると、自動的に本撮影を行う。
【０１００】
図１７は、セルフ定点観測アシストの機能図であり、図１８は、セルフ定点観測アシストモードの動作を示すフローチャートである。なお、図３及び図１２に示すフローチャートと共通する部分には同一の符号を付し、その詳細な説明は省略する。
【０１０１】
まず、ユーザが操作部１２を用いて、セルフ定点観測アシストモードに設定する（ステップＳ１８１）。セルフ定点観測アシストモードに設定されると、輪郭情報合成部２８は、第２の実施の形態と同様にあらかじめ輪郭情報記憶部２９に記憶されている輪郭画像を呼び出す（ステップＳ１２２）。なお、この時点で所望の画像を選択し、選択された画像について輪郭画像を生成してもよい。
【０１０２】
次に、輪郭検出部２６が、ＣＣＤ２３から出力される画像信号の輝度情報から画像内の輪郭情報を検出し、輪郭情報処理部２７が、輪郭検出部２６が検出した輪郭情報の輝度を反転し、階調を補正して強調し、輪郭画像を生成する（ステップＳ１８２）。
【０１０３】
輪郭情報合成部２８は、ＣＣＤ２３の画像信号、ＣＣＤ２３の画像信号から生成した輪郭画像、及び輪郭情報記憶部２９から読み出した輪郭画像を所定の比率で合成し（ステップＳ１８３）、画像表示部１６に表示する（ステップＳ３６）。この合成比率は、あらかじめＲＯＭ１３に記憶されていてもよいし、操作部１２によりユーザが自由に設定できてもよい。また、ＣＣＤ２３の画像信号から生成した輪郭画像と輪郭情報記憶部２９から読み出した輪郭画像を異なる色で表示させると、それぞれの輪郭が一致したか否かが見やすくなる。
【０１０４】
またこのとき、輪郭情報合成部２８は、ＣＣＤ２３の画像信号から生成した輪郭画像と、輪郭情報記憶部２９から読み出した輪郭画像の相関値を算出し（ステップＳ１８４）、所定の閾値との比較を行う（ステップＳ１８５）。輪郭画像の相関値が所定の閾値以上の場合は、定点観測の構図が一致したと判断し、本撮影を行う（ステップＳ１８６）。輪郭画像の相関値が所定の閾値より小さい場合は、フレーミング中であると判断し、セルフ定点観測モードが継続されているか否かの判定を行う（ステップＳ１８７）。セルフ定点観測モードが継続中である場合は、ステップＳ１２２に戻り、同様の処理を行う。セルフ定点観測モードが解除されている場合は、処理を終了する。なお、セルフ定点観測アシストモードは、操作部１２を操作した場合や、一定時間が経過した場合に解除するように構成されている。また、本撮影が終了した後に解除してもよい。
【０１０５】
このように、輪郭画像の相関値が所定の閾値以上になった場合に構図が一致したと判断して自動的に撮影を行うことで、定点観測写真や類似構図写真を容易に撮影することが可能となる。
【０１０６】
本実施の形態では、それぞれの輪郭画像の相関値が所定の閾値以上になった場合に自動的に撮影を行ったが、第３の実施の形態のようにそれぞれの輪郭画像のズレ量を算出し、ズレ量が所定の閾値以下になった場合に自動的に撮影を行ってもよい。
【０１０７】
本実施の形態では、輪郭情報合成部２８は、ＣＣＤ２３の画像信号、ＣＣＤ２３の画像信号から抽出した輪郭画像、及び輪郭情報記憶部２９から読み出した輪郭画像を所定の比率で合成して表示したが、ＣＣＤ２３の画像信号の色差情報、ＣＣＤ２３の画像信号から抽出した輪郭画像、及び輪郭情報記憶部２９から読み出した輪郭画像を所定の比率で合成して表示してもよい。どの情報を輪郭情報記憶部２９から読み出した輪郭画像と合成して表示するかを、ユーザが指定できるように構成してもよい。
【０１０８】
＜第５の実施の形態＞
第５の実施の形態のデジタルカメラ１について説明する。第５の実施の形態のデジタルカメラ１は、フレーミング中の構図の中からプリミティブ形状を抽出してスルー画と共に表示することにより、構図アシストを行う。
【０１０９】
図１９は、第５の実施の形態のデジタルカメラ１の内部構成を示すブロック図である。図１に示すブロック図とは、プリミティブ形状検出部３０を備えたところが異なる。
【０１１０】
図２０は、プリミティブ構図アシストの機能図であり、図２１は、プリミティブ構図アシストの動作を示すフローチャートである。なお、図３に示すフローチャートと共通する部分には同一の符号を付し、その詳細な説明は省略する。
【０１１１】
まずユーザが、操作部１２を用いてデジタルカメラ１をプリミティブ構図アシストモードに設定する（ステップＳ２１１）。プリミティブ構図アシストモードに設定されると、輪郭検出部２６は、ＣＣＤ２３から出力される画像信号の輝度情報から画像内の輪郭情報を検出する（ステップＳ２１２）。
【０１１２】
次に、プリミティブ形状検出部３０は、輪郭検出部２６が検出した輪郭情報から、ハフ変換を用いてプリミティブ形状を検出する（ステップＳ２１３）。輪郭情報合成部２８は、ＣＣＤ２３から出力される画像信号と、プリミティブ形状検出部３０が検出したプリミティブ形状情報を所定の比率で合成する（ステップＳ２１４）。この合成比率は、あらかじめＲＯＭ１３に記憶されていてもよいし、操作部１２によりユーザが自由に設定できてもよい。そして、輪郭情報合成部２８が合成した画像信号に基づいて、表示制御部１５により画像表示部１６にスルー画を表示する（ステップＳ３６）。なお、プリミティブ形状情報は、例えば赤などの目立つ色で表示すると、構図を意識しやすい。
【０１１３】
次に、プリミティブ構図アシストモードが継続されているか否かの判定を行う（ステップＳ２１５）。プリミティブ構図アシストモードが継続中である場合は、ステップＳ２１２に戻り、同様の処理を行う。ユーザは、このスルー画を見ながら構図を決定し、操作部１２のレリーズスイッチを押すことにより、本撮影を行うことができる。
【０１１４】
プリミティブ構図アシストモードが解除されている場合は、処理を終了する。なお、このプリミティブ構図アシストモードは、操作部１２を操作した場合や、一定時間が経過した場合に解除するように構成されている。また、本撮影を行った後に解除してもよい。
【０１１５】
このように、輪郭情報からプリミティブ形状を検出し、検出したプリミティブ形状を表示することで、撮影者が構図を意識してより上手な撮影を行うことができる。
【０１１６】
＜第６の実施の形態＞
第６の実施の形態のデジタルカメラ１について説明する。第６の実施の形態のデジタルカメラ１は、メモリカード２０から読み出した画像について、第１の実施の形態と同様の画像を生成し、メモリカード２０に保存する。図２２は、画像加工モードの機能図であり、図２３は、画像加工モードの動作を示したフローチャートである。
【０１１７】
まず、ユーザが操作部１２を操作し、メモリカード２０に保存されている撮影済み画像から、加工したい画像を選択する（ステップＳ２３１）。ユーザが画像を選択すると、読み出した画像の輝度情報から、輪郭検出部２６が画像内の輪郭情報を検出する（ステップＳ２３２）。次に、輪郭情報処理部２７は、輪郭検出部２６が検出した輪郭情報の輝度を反転し（ステップＳ３３）、さらに階調補正を行って輪郭を強調し、輪郭画像を生成する（ステップＳ３４）。
【０１１８】
次に、輪郭情報合成部２８は、輪郭情報処理部２７が出力した輪郭画像と、メモリカードから読み出した画像の色差情報を所定の比率で合成する（ステップＳ２３３）。この合成比率は、あらかじめＲＯＭ１３に記憶されていてもよいし、操作部１２によりユーザが自由に設定できてもよい。
【０１１９】
そして、輪郭情報合成部２８が合成した合成画像を、表示制御部１５により画像表示部１６に表示する（ステップＳ２３４）。また、この合成画像をメモリカード２０に保存する（ステップＳ２３５）。
【０１２０】
このように、メモリカード２０から読み出した画像について、生成した輪郭画像と色差情報を合成して再びメモリカード２０に保存することで、ユーザにとって面白みのある画像を作成し、保存することができる。この画像をプリントアウトし、ぬり絵等に用いてもよい。
【図面の簡単な説明】
【０１２１】
【図１】図１は、本発明が適用されたデジタルカメラの第１の実施の形態の電気的構成を示すブロック図である。
【図２】図２は、構図アシストの機能図である。
【図３】図３は、構図アシストの動作を示したフローチャートである。
【図４】図４は、ソーベルフィルタのフィルタ行列を示す図である。
【図５】図５は、ＣＣＤ２３から出力される画像を示した図である。
【図６】図６は、図５の画像信号に対して輪郭情報処理部２７が生成した輪郭画像を示した図である。
【図７】図７は、ＣＣＤ２３から出力される画像の色差情報を示した図である。
【図８】図８は、図６に示した輪郭情報処理部２７が出力した輪郭情報と、図７に示した式差情報を合成した画像を示す図である。
【図９】図９は、デジタルカメラ１の内部構成を示すブロック図である。
【図１０】図１０は、構図アシストの機能図である。
【図１１】図１１は、デジタルカメラ１の定点観測アシストの準備段階の動作を示すフローチャートである。
【図１２】図１２は、定点観測アシストモードの動作を示すフローチャートである。
【図１３】図１３は、画像表示部１６の表示を示す図である。
【図１４】図１４は、本発明のデジタルカメラ１により四季の移り変わりを定点観測撮影した画像を示す図である。
【図１５】図１５は、本発明のデジタルカメラ１により植物の成長を定点観測撮影した画像を示す図である。
【図１６】図１６は、本発明のデジタルカメラ１により道路と線路の類似構図を撮影した画像を示す図である。
【図１７】図１７は、セルフ定点観測アシストの機能図である。
【図１８】図１８は、セルフ定点観測アシストモードの動作を示すフローチャートである。
【図１９】図１９は、デジタルカメラ１の内部構成を示すブロック図である。
【図２０】図２０は、プリミティブ構図アシストの機能図である。
【図２１】図２１は、プリミティブ構図アシストモードの動作を示すフローチャートである。
【図２２】図２２は、画像加工モードの機能図である。
【図２３】図２３は、画像加工モードの動作を示したフローチャートである。
【図２４】図２４は、定点観測アシストモードの動作を示すフローチャートである。
【図２５】図２５は、各輪郭画像が不一致の場合の定点観測アシスト指標表示を示した図である。
【図２６】図２６は、各輪郭画像が一致の場合の定点観測アシスト指標表示を示した図である。
【符号の説明】
【０１２２】
１…デジタルカメラ、１１…ＣＰＵ、１２…操作部、１３…ＲＯＭ、１５…表示制御部、１６…画像表示部、１７…バッファメモリ、１９…画像記録部、２０…メモリカード、２１…画像信号処理部、２３…ＣＣＤ、２６…輪郭検出部、２７…輪郭情報処理部、２８…輪郭情報合成部、２９…輪郭情報記憶部、３０…プリミティブ形状検出部、４１ａ〜４１ｅ…不一致の場合の定点観測アシスト指標、４２ａ〜４２ｅ…一致の場合の定点観測アシスト指標
【図１】
0005231759.tif 000002
【図２】
0005231759.tif 000003
【図３】
0005231759.tif 000004
【図４】
0005231759.tif 000005
【図５】
0005231759.tif 000006
【図６】
0005231759.tif 000007
【図７】
0005231759.tif 000008
【図８】
0005231759.tif 000009
【図９】
0005231759.tif 000010
【図１０】
0005231759.tif 000011
【図１１】
0005231759.tif 000012
【図１２】
0005231759.tif 000013
【図１３】
0005231759.tif 000014
【図１４】
0005231759.tif 000015
【図１５】
0005231759.tif 000016
【図１６】
0005231759.tif 000017
【図１７】
0005231759.tif 000018
【図１８】
0005231759.tif 000019
【図１９】
0005231759.tif 000020
【図２０】
0005231759.tif 000021
【図２１】
0005231759.tif 000022
【図２２】
0005231759.tif 000023
【図２３】
0005231759.tif 000024
【図２４】
0005231759.tif 000025
【図２５】
0005231759.tif 000026
【図２６】
0005231759.tif 000027